(57)【要約】【課題】帽子本体の前面側裏面部に吸水シートを簡単容易に取り付けることができると共に、吸水シートと使用者のおでことの間に何も介在させることなく、吸水シートを直接おでこに当てるようにして、おでこの汗をより効率的に吸収できる帽子を提供する。【解決手段】帽子本体１の前面側裏面部、即ち使用者Ｍが帽子本体１を被った時に使用者のおでこが当たる部分４に、吸水シート５を粘着テープ６によって取り付ける。【選択図】図２
0003134791.tif 000002
【実用新案登録請求の範囲】
【請求項１】
帽子本体の前面側裏面部、即ち使用者が帽子本体を被った時に使用者のおでこが当たる部分に、吸水シートを粘着テープによって取り付けてなる帽子。
【請求項２】
吸水シートの上端部側を粘着テープで帽子本体の前面側裏面部に貼り付け、吸水シートの下端部を、帽子本体下端部のスエットバンドと帽子本体との間に挟み込ませてなる請求項１に記載の帽子。
【考案の詳細な説明】
【技術分野】
【０００１】
本考案は、ゴルフや野球等を行なう際に汗を良好に吸収できる帽子の改良に関するものである。
【背景技術】
【０００２】
ゴルフや野球等をしていると、頭部から発汗した汗が帽子本体の裏面部に付着するが、頭部のうちでも汗の最もかきやすい部分はおでこ部分であることは日常よく経験するところである。このように頭部から発汗した汗を効率的に吸収できるようにした帽子として、下記特許文献１に記載されたものがある。この特許文献１の帽子は、帽子本体の前面側裏面部に、使用者のおでこに面する部分が網体からなる網袋を形成し、この網袋に吸水紙を収容してなるものである。
【特許文献１】実用新案登録３０９０４４３号公報
【考案の開示】
【考案が解決しようとする課題】
【０００３】
上記特許文献１に記載された帽子では、帽子本体の前面側裏面部に網袋を一体的に形成し、この網袋の内部に吸水紙を収容するようになっていため、袋を形成する分だけ帽子のコストが高くつき、また汗が網袋に直接付着して、網袋を汚し易くなる、といった問題があった。
【０００４】
本考案は、上記の課題に鑑み、帽子本体の前面側裏面部に吸水シートを簡単容易に取り付けることができると共に、吸水シートと使用者のおでことの間に何も介在させることなく、吸水シートを直接おでこに当てるようにして、おでこの汗をより効果的に吸収できる帽子を提供することを目的とする。
【課題を解決するための手段】
【０００５】
上記課題を解決するための手段を、後述する実施形態の参照番号を付して説明すると、請求項１に係る考案は、帽子本体１の前面側裏面部、即ち使用者Ｍが帽子本体１を被った時に使用者のおでこが当たる部分４に、吸水シート５を粘着テープ６によって取り付けてなることを特徴とする。
【０００６】
請求項２は、請求項１に記載の帽子において、吸水シート５の上端部側を粘着テープ６で帽子本体１の前面側裏面部に貼り付け、吸水シート５の下端部を、帽子本体１下端部のスエットバンド３と帽子本体１との間に挟み込ませてなることを特徴とする。
【考案の効果】
【０００７】
上記解決手段による考案の効果を、後述する実施形態の参照番号を付して説明すると、請求項１に係る考案によれば、吸水シート５を帽子本体１の前面側裏面部に取り付けた帽子を被って使用者Ｍがゴルフ等の運動をしている時に、使用者Ｍの頭部に発汗した汗は、吸水シート５に吸収されるため、不快感を解消することができる。この吸水シート５は、従来のように網袋を介することなく、使用者のおでこ部分に直接当接されるから、おでこ部分に発汗した汗を効果的に吸収することができる。
【０００８】
また、吸水シート５の取付けにあたり、この吸水シート５は粘着テープ６で帽子本体１の前面側裏面部に貼り付ければよく、また吸水シート５を取り外す場合は、吸水シート５を引っ張れば、粘着テープ６が帽子本体１から剥がれるから、吸水シート５の取付け及び取外しを迅速且つ容易に行なうことができる。
【０００９】
請求項２に係る考案によれば、吸水シート５の上端部側を粘着テープ６で帽子本体１の前面側裏面部に貼り付け、吸水シート５の下端部を、帽子本体下端部のスエットバンドと帽子本体との間に挟み込ませるようにすれば、吸水シート５の取付けおよび取外しをより一層迅速容易に行なえると共に、使用する粘着テープ６も少なくて済む。
【考案を実施するための最良の形態】
【００１０】
以下に本考案の好適な実施形態について図面の図１〜図３を参照しながら説明すると、図１の(a) は本考案に係る帽子を使用者に被せた状態の正面図、(b) は側面図であり、図２の(a) は同帽子の内側を斜め下方より見た斜視図、(b) は吸水シートの斜視図であり、図３の(a) は同帽子の一部断面側面図、(b) は(a) の一部拡大図である。この帽子は、野球帽あるいはゴルフ帽として使用されるもので、帽子本体１と、この帽子本体１の前部に取り付けられたヒサシ２とからなり、帽子本体１の内側下端部にはスエットバンド３が取り付けられている。
【００１１】
この帽子には、帽子本体１の前面側裏面部、即ち、図１に示すように使用者Ｍが帽子本体１を被った時に、使用者Ｍのおでこが当たる部分４に、吸水シート５が粘着テープ６によって剥ぎ取り可能に取り付けられるようになっている。
【００１２】
吸水シート５は、吸水紙、綿状不織布あるいは高分子吸収ポリマー等により形成され、特に高分子吸収ポリマーは、ポリアクリル酸ナトリウム等からなっており、多量の汗を吸収できる効果を有する。また、吸水シート５としては、紙おむつや生理用ナプキンと同様な構造のものを使用することができる。
【００１３】
図３の(a) ，(b) に示す吸水シート５は、紙おむつと同じ様な構造体からなるもので、表面材５ａと吸水材５ｂと防水材５ｃとによって形成されている。表面材５ａは、使用者Ｍのおでこに接するもので、ポリエステルやポリプロピレンの不織布等からなり、汗を素早く吸水材５ｂに送り込み、表面材５ａ自体は濡れにくくサラッとした状態を保つ。吸水材５ｂは、吸水紙、綿状パルプ、高分子吸水材等の組み合わせからなるもので、汗を吸収し易く、一度吸収したら確実に取り込むことができる。防水材５ｃは、吸水シート５の外側を覆う防水シートであって、使用者Ｍのおでこが当たる、帽子本体１の前面側裏面部分４に当て付けられる。
【００１４】
粘着テープ６は、例えばポリ塩化ビニルのフィルムからなる基材の一面に合成樹脂を主剤とする粘着剤を塗布した市販のテープであり、粘着剤塗布面には、図示は省略するが、フィルム状の剥離テープが被着されている。
【００１５】
この吸水シート５を、帽子本体１の前面側裏面部の、使用者Ｍのおでこが当たる部分４に取り付けるには、図２の(b) に示すように、粘着テープ６を所要長さに切って、吸水シート５の外側面である防水材５ｃの上端部側に貼り付け、粘着テープ６から剥離テープを剥がした後、この吸水シート５の上端部側を粘着テープ６を介して帽子本体１の前面側裏面部の、使用者Ｍのおでこが当たる部分４に貼り付けると共に、吸水シート５の下端部側を、図２の(a) に示すように、帽子本体１の下端部に取り付けてあるスエットバンド３と帽子本体１との間に挟み込ませるようにする。
【００１６】
上記のようにして吸水シート５を帽子本体１の前面側裏面部に取り付けた帽子を被って使用者Ｍがゴルフ等の運動をしている時に、使用者Ｍの頭部に発汗した汗は、吸水シート５に吸収されるため、不快感を解消することができる。また、頭部のうち最も発汗し易い場所はおでこの部分であり、この部分の汗を吸収することで不快感を大幅に解消することができる。
【００１７】
また、吸水シート５は、前述した従来の帽子ように網袋を介することなく、使用者のおでこ部分に直接当接されるから、おでこ部分に発汗した汗を効果的に吸収することができると共に、おでこに対する肌触りが良い。
【００１８】
そして、吸水シート５が使用者Ｍの汗を多量に吸収して、この吸水シート５を取り外す必要がある場合には、図２の(a) に示す状態にある吸水シート５の上端部側を手前側へ引っ張れば、粘着テープ６が帽子本体１の前面側裏面部から剥がれて、吸水シート５の上端部が外れるから、スエットバンド３の前部側を下方へ折り伸展させるようにすることで、吸水シート５を迅速容易に取り外すことができ、新しいものと交換することができる。
【００１９】
この実施形態では、粘着テープ６を防水材５ｃの上端部側に貼り付けて、吸水シート５の上端部側を粘着テープ６で帽子本体１の前面側裏面部分４に貼り付けると共に、吸水シート５の下端部側をスエットバンド３の内側に挟み込ませるようにしたが、粘着テープ６を吸水シート５の上端部側及び下端部側に貼り付けて、帽子本体１の前面側裏面部分４の全体に貼り付けてもよいし、また吸水シート５の上端部側の粘着テープ６を帽子本体１の前面側裏面部分４に貼り付け、吸水シート５の下端部側をスエットバンド３の内周面側に取り付けてもよい。
【００２０】
但し、この実施形態のように吸水シート５の上端部側を粘着テープ６で帽子本体１の前面側裏面部に貼り付け、吸水シート５の下端部を帽子本体１下端部のスエットバンド３に挟み込ませるようにすれば、吸水シート５の取付け及び取外しをより一層迅速且つ容易に行なえると共に、使用する粘着テープ６も少なくて済む。
【図面の簡単な説明】
【００２１】
【図１】(a) は本考案に係る帽子を使用者に被せた状態の正面図、(b) は側面図である。
【図２】(a) は同帽子の内側を斜め下方より見た斜視図、(b) は吸水シートの斜視図である。
【図３】(a) は同帽子の一部断面側面図、(b) は(a) の一部拡大図である。
【符号の説明】
【００２２】
１            帽子本体
２            ヒサシ
３            スエットバンド
４            使用者のおでこが当たる部分
５            吸水シート
６            粘着テープ
【図１】
0003134791.tif 000003
【図２】
0003134791.tif 000004
【図３】
0003134791.tif 000005